(57)【要約】      （修正有）【課題】高さ調整可能な枕に用いられるエアバッグ及び枕を提供する。【解決手段】高さ調整可能な枕に用いられるエアバッグは、重なり合うように設けられた複数のエアバッグユニット１を含み、該エアバッグユニット同士の対向する側には、アレイ状に配列された複数の支持接続孔１１が設けられ、隣接する２つのエアバッグユニットは、該支持接続孔を介して連通しており、該エアバッグユニットを充気、或いは放気する際に、エアバッグユニットの各部分の充気速度が一致し、且つエアバッグ全体の高さが充気又は放気に伴って同期的に変化するように、気体は複数の支持接続孔を介してエアバッグに同時に入流、或いはエアバッグから同時に流出する。高さ調整可能な枕は、エアバッグを充気、或いは放気する際に、エアバッグ全体の高さが同期的に変化する。【選択図】図１
0003225774.tif 000002
【実用新案登録請求の範囲】
【請求項１】
高さ調整可能な枕に用いられるエアバッグであって、
重なり合うように設けられた複数のエアバッグユニットを含み、
前記エアバッグユニット同士の対向する側には、アレイ状に配列された複数の支持接続孔が設けられ、
隣接する２つのエアバッグユニットは、前記支持接続孔を介して連通しており、
前記エアバッグユニットを充気、或いは放気する際に、エアバッグユニットの各部分の充気速度が一致し、且つエアバッグ全体の高さが充気又は放気に伴って同期的に変化するように、気体は複数の支持接続孔を介してエアバッグに同時に入流、或いはエアバッグから同時に流出する、エアバッグ。
【請求項２】
前記エアバッグユニットのそれぞれは、エアバッグの長手方向に沿って延在する押圧ストリップを有し、
該押圧ストリップは、エアバッグユニットが互いに連通する複数のサブエアバッグを形成するように、エアバッグユニットの上面と下面とを接合し、
前記サブエアバッグは、長手方向に沿って延在し、両端が他のサブエアバッグと連通する、請求項１に記載のエアバッグ。
【請求項３】
前記複数のエアバッグユニットの１つには、入気口が設けられている、請求項２に記載のエアバッグ。
【請求項４】
前記入気口は、エアバッグユニットの側面に設けられている、請求項３に記載のエアバッグ。
【請求項５】
最下層に位置するエアバッグユニットの下面には、スポンジを接着するための接続テープがさらに接続され、
前記接続テープは、エアバッグユニットの長手方向に沿って設けられ、その両端がエアバッグユニットにそれぞれ積層されている、請求項４に記載のエアバッグ。
【請求項６】
請求項１乃至５の何れかに記載のエアバッグを用いた、高さ調整可能な枕。
【考案の詳細な説明】
【技術分野】
【０００１】
本考案は、寝具に関し、特に枕に関する。
【背景技術】
【０００２】
人々の生活リズムの加速に伴い、睡眠不足は現在の都市部の人々の普遍の現象になっている。専門家によると、睡眠不足は健康に大きな影響を及ぼし、留意する必要がる。睡眠不足の悪い影響は主に以下に反映される。１つ目は、脳の創造的な思考に影響を与える。２つ目は、青少年の成長及び発育に影響を与える。３つ目は、健康などに影響を与える。このように、快適な睡眠は人体に不可欠である。ベッドで休憩する際に、頭は枕で支えられて、一定の角度で上に傾く必要がある。よって、枕のフィット感は非常に重要である。選択された枕が適切でないと、頸部痛、不眠症、翌日の疲労などを引き起こし、翌日の正常な生活に影響を与える。しかし、各人の体の曲線及び睡眠姿勢などの要因により、適切な枕を選択することは非常に困難である。
【０００３】
人々の仰向け又は横向きの時に、適切な枕の高さが異なるため、市販の枕では、様々な睡眠姿勢に応じて高さを自動的に調整可能な枕がある。このような枕はエアバッグを充気、或いは放気することで枕の高さを変更するが、充気後のエアバッグは、中央部が偏平な周辺部よりも膨らむ形状となっている。従って、枕全体の高さが均一ではなく、各部分の高さが一致していないため、人の頭が枕の異なる位置に寄り掛かる場合、明らかな違いがあり、快適性が十分ではない。
【考案の概要】
【考案が解決しようとする課題】
【０００４】
本考案は、エアバッグを充気、或いは放気する際に、エアバッグ全体の高さが同期的に変化する、高さ調整可能な枕に用いられるエアバッグ及び枕を提供する。
【課題を解決するための手段】
【０００５】
上記の課題を解決するために、本考案は、高さ調整可能な枕に用いられるエアバッグであって、重なり合うように設けられた複数のエアバッグユニットを含み、前記エアバッグユニット同士の対向する側には、アレイ状に配列された複数の支持接続孔が設けられ、隣接する２つのエアバッグユニットは、前記支持接続孔を介して連通しており、前記エアバッグユニットを充気、或いは放気する際に、エアバッグユニットの各部分の充気速度が一致し、且つエアバッグ全体の高さが充気又は放気に伴って同期的に変化するように、気体は複数の支持接続孔を介してエアバッグに同時に入流、或いはエアバッグから同時に流出する、エアバッグを提供する。
【０００６】
１つの好ましい実施例では、前記エアバッグユニットのそれぞれは、エアバッグの長手方向に沿って延在する押圧ストリップを有し、該押圧ストリップは、エアバッグユニットが互いに連通する複数のサブエアバッグを形成するように、エアバッグユニットの上面と下面とを接合し、前記サブエアバッグは、長手方向に沿って延在し、両端が他のサブエアバッグと連通する。
【０００７】
１つの好ましい実施例では、前記複数のエアバッグユニットの１つには、入気口が設けられている。
【０００８】
１つの好ましい実施例では、前記入気口は、エアバッグユニットの側面に設けられている。
【０００９】
１つの好ましい実施例では、最下層に位置するエアバッグユニットの下面には、スポンジを接着するための接続テープがさらに接続され、前記接続テープは、エアバッグユニットの長手方向に沿って設けられ、その両端がエアバッグユニットにそれぞれ積層されている。
【００１０】
本考案は、上記のエアバッグを用いた、高さ調整可能な枕をさらに提供する。
【考案の効果】
【００１１】
従来技術に比べて、本考案の各態様は以下の有利な効果を有する。
【００１２】
本考案に係る高さ調整可能な枕に用いられるエアバッグでは、重なり合うように設けられたエアバッグユニットを組み合わせて１つのエアバッグを形成し、エアバッグユニット同士がアレイ状に配置された複数の支持接続孔を介して連通しており、エアバッグを充気、或いは放気する際に、エアバッグユニットの各位置を同時に充気、或いは放気するように、気体がアレイ状に配置された支持接続孔を介して同時に入流、或いは流出することで、エアバッグユニットの各部分の充気量が比較的に均一であり、エアバッグユニットの各部分の高さが略一致する。また、エアバッグを充気、或いは放気する際に、エアバッグユニットの各部分の充気速度又は放気速度が略同一であるため、エアバッグを充気、或いは放気する際に、エアバッグユニットの各部分の高さの変化率も一致する。
【００１３】
また、エアバッグユニットのそれぞれは、エアバッグの長手方向に沿って延在する押圧ストリップを有し、該押圧ストリップは、エアバッグユニットが互いに連通する複数のサブエアバッグを形成するように、エアバッグユニットの上面と下面とを接合することで、エアバッグユニットの充気の必要のある領域を低減させ、充気又は放気のプロセスを加速させると共に、エアバッグユニットの高さの一致性をさらに向上させる。
【００１４】
最下層に位置するエアバッグユニットの下面には、スポンジを接着するための接続テープがさらに接続されることで、接続テープにエアバッグの充気又は放気に伴ってシワが発生することがないため、それに接続されたスポンジも常に平らに維持されている。
【図面の簡単な説明】
【００１５】
【図１】本考案の好ましい実施例に係るエアバッグの斜視図である。
【図２】本考案の好ましい実施例に係る上部層のエアバッグユニットの平面図である。
【図３】本考案の好ましい実施例に係る下部層のエアバッグユニットの平面図である。
【図４】本考案の好ましい実施例に係る接続テープの模式図である。
【考案を実施するための形態】
【００１６】
以下は図面及び具体的な実施例を参照しながら本考案を説明する。
【００１７】
図１〜図４に示すように、高さ調整可能な枕に用いられるエアバッグは、重なり合うように設けられた複数のエアバッグユニット１を含み、エアバッグユニット１同士の対向する側には、アレイ状に配列された複数の支持接続孔１１が設けられ、隣接する２つのエアバッグユニット１は、支持接続孔１１を介して連通している。
【００１８】
エアバッグユニット１を充気、或いは放気する際に、エアバッグユニット１の各部分の充気速度が一致し、且つエアバッグ全体の高さが充気又は放気に伴って同期的に変化するように、気体は複数の支持接続孔１１を介してエアバッグに同時に入流、或いはエアバッグから同時に流出する。
【００１９】
重なり合うように設けられたエアバッグユニット１を組み合わせて１つのエアバッグを形成し、エアバッグユニット１同士がアレイ状に配置された複数の支持接続孔１１を介して連通しており、エアバッグを充気、或いは放気する際に、エアバッグユニット１の各位置を同時に充気、或いは放気するように、気体がアレイ状に配置された支持接続孔１１を介して同時に入流、或いは流出することで、エアバッグユニット１の各部分の充気量が比較的に均一であり、エアバッグユニット１の各部分の高さが略一致する。また、エアバッグを充気、或いは放気する際に、エアバッグユニット１の各部分の充気速度又は放気速度が略同一であるため、エアバッグを充気、或いは放気する際に、エアバッグユニット１の各部分の高さの変化率も一致する。
【００２０】
本実施例では、エアバッグユニット１のそれぞれは、エアバッグの長手方向に沿って延在する押圧ストリップを有し、該押圧ストリップは、エアバッグユニット１が互いに連通する複数のサブエアバッグ１２を形成するように、エアバッグユニット１の上面と下面とを接合している。サブエアバッグ１２は、長手方向に沿って延在し、両端が他のサブエアバッグ１２と連通する。本考案では、サブエアバッグ１２の数は３つであり、各サブエアバッグ１２は長手方向に沿って２つの支持接続孔１１を設けているため、１つのエアバッグユニット１は２×３個の支持接続孔１１を有する。この構成によれば、エアバッグユニット１の充気の必要のある領域を低減させ、充気又は放気のプロセスを加速させると共に、エアバッグユニット１の高さの一致性をさらに向上させる。
【００２１】
エアバッグユニット１同士が互いに連通しているため、そのうちの１つのエアバッグユニット１に入気口１３を設けることで、全てのエアバッグユニット１の充気を実現することができる。
【００２２】
入気口１３は、エアバッグユニット１の側面に設けられている。構造設計の必要性に応じて、入気口１３は他の任意の位置に設けられてもよく、これは本実施例の簡単な変形に属する。
【００２３】
最下層に位置するエアバッグユニット１の下面には、スポンジを接着するための接続テープ２がさらに接続され、接続テープ２は、エアバッグユニット１の長手方向に沿って設けられ、その両端がエアバッグユニット１にそれぞれ積層されている。接続テープ２にエアバッグの充気又は放気に伴ってシワが発生することがないため、それに接続されたスポンジも常に平らに維持されている。これによって、接続テープ２とスポンジとの接合は比較的に安定しており、脱落することはない。
【００２４】
テストを行ったところ、このような設計を有するエアバッグでは、偏平面積が５０×２３ｃｍのエアバッグを所定のエアポンプで充気する場合、約１分１０秒で７．５ｃｍの高さに調整することができる。一方、単層のエアバッグでは、同様なエアポンプで充気する場合、同一の高さに達するまでに少なくとも８分がかかる。従って、このような設計を有するエアバッグによれば、待ち時間を大幅に短縮され、消耗電力が削減された。
【００２５】
本考案は、上述したエアバッグを用いた高さ調整可能な枕をさらに提供する。
【００２６】
以上は本考案の好ましい実施例を説明しているが、本考案の範囲はこれに限定されず、当業者が本考案の変形又は技術的範囲を容易に想到することができる。変形例も本考案の範囲内のものである。よって、本考案の保護範囲は実用新案登録請求の範囲により決定されるべきである。
【図１】
0003225774.tif 000003
【図２】
0003225774.tif 000004
【図３】
0003225774.tif 000005
【図４】
0003225774.tif 000006